(57)【要約】      （修正有）【課題】作業工数を削減して簡単に吊金車等の他の部材を支持部材に着脱できる取付治具を提供する。【解決手段】取付治具４は、断面視略コの字状に形成されていて装柱腕金３の断面略四角形筒状の腕金部３ｂに係合させる係合部４ａと、係合部４ａの両側に設けられていて吊金車５等を係合させて吊り下げる一対のアーム部４ｂとを備える。吊金車の両側のフック部１７，１８を係合部４ａを挟む両側のアーム部４ｂに係止することで、吊金車を吊り下げて支持する。吊金車の重量で取付治具４は腕金部３ｂに係合保持される。【選択図】図２
0003210756.tif 000002
【実用新案登録請求の範囲】
【請求項１】
支持部材に係合させる係合部と、
前記係合部の両側に設けられていて他の部材を係合させるアーム部と、を
を備えたことを特徴とする取付治具。
【請求項２】
前記係合部は断面略コの字状に形成されていて、前記係合部を略四角形筒状の支持部材に嵌合させるようにした請求項１に記載された取付治具。
【請求項３】
電柱に設けた支持部材と、
前記支持部材に係合させる係合部を有すると共に該係合部の両側にアーム部を設けた取付治具と、
前記取付治具における係合部の両側に設けたアーム部にそれぞれフック部を吊り下げる吊金車と、を備えたことを特徴とする吊金車取付構造。
【考案の詳細な説明】
【技術分野】
【０００１】
本考案は、装柱腕金等の支持部材に吊金車等を取り付けるための取付治具及びこの取付治具を備えた吊金車取付構造に関する。
【背景技術】
【０００２】
特許文献１及び２に記載されたケーブル延線用吊金車は、電柱間に通信ケーブルや電線等の各種ケーブルを敷設する際、電柱間に固定したメッセンジャーワイヤの中間位置でケーブル延線用吊金車を中間吊金車として吊り下げている。ケーブル延線用吊金車に設けたプーリーにケーブル等を挿通して延線している。
これらのケーブル延線用吊金車では、フック部がメッセンジャーワイヤから離脱しないようにストッパー板を設けてケーブル延線用吊金車の落下を防止している。また、ケーブル延線用吊金車に設けたフレームに補強板を設けて、メッセンジャーワイヤから離脱しないようにしている。
【０００３】
また、電柱に設けた装柱としての腕金にケーブル延線用吊金車を固定する際には、ケーブル延線用吊金車のフック部を番線やＩＶ線（Ｉｎｄｏｏｒ  ＰＶＣ）等のワイヤで捩じり上げて腕金に固定して、ケーブル延線用吊金車を吊り下げている。
【先行技術文献】
【特許文献】
【０００４】
【特許文献１】実開平５−８０１１４号公報
【特許文献２】特開平８−２０５３４６号公報
【考案の概要】
【考案が解決しようとする課題】
【０００５】
しかしながら、上述した腕金へのケーブル延線用吊金車の取り付けに際して番線やＩＶ線を捻じり上げて固定しているため作業に長時間を要していた。また腕金からケーブル延線用吊金車を取り外す作業においても捩じり上げた番線やＩＶ線をほどくために作業に長時間を要するという問題があった。
【０００６】
本考案は、このような課題に鑑みてなされたものであり、作業工数を削減して簡単に吊金車等の他の部材を支持部材に着脱できるようにした取付治具及び吊金車取付構造を提供することを目的とする。
【課題を解決するための手段】
【０００７】
本考案による取付治具は、支持部材に係合させる係合部と、係合部の両側に設けられていて他の部材を係合させるアーム部とを備えたことを特徴とする。
本発明によれば、腕金等の支持部材に取付治具の係合部を係合させ、その両側にアーム部を位置させ、取付治具のアーム部に吊金車等を吊り下げできるようした。これにより、吊金車等を係合部の両側のアーム部によってバランスよく吊り下げ支持でき、吊金車等の荷重で取付治具を係合部を通して支持部材で装着できるようにした。また、吊金車等を取り外す際にも、アーム部からフック部を取り外すことができ、簡単に吊金車等の着脱操作を行える。
【０００８】
また、係合部は断面略コの字状に形成されていて、係合部を略四角形筒状の支持部材に嵌合させるようにしてもよい。
取付治具の断面略コの字状の係合部を略四角形筒状の支持部材に嵌合させることで、簡単且つバランス良く取付治具を支持できる。
【０００９】
本発明による吊金車取付構造は、電柱に設けた支持部材と、支持部材に係合させる係合部を有すると共に該係合部の両側にアーム部を設けた取付治具と、取付治具における係合部の両側に設けたアーム部にそれぞれフック部を吊り下げる吊金車と、を備えたことを特徴とする。
本発明による吊金車取付構造によれば、電柱に設けた支持部材に取付治具の係合部を係合させ、その両側にアーム部を位置させ、取付治具の両側のアーム部に吊金車等を吊り下げて係止できる。これにより、吊金車を係合部の両側のアーム部によってバランスよく吊り下げ支持でき、吊金車の荷重で取付治具を係合部を通して支持部材で装着できる。
【考案の効果】
【００１０】
本考案による取付治具及び吊金車取付構造によれば、装柱腕金等の支持部材に取付治具の係合部を係合させた状態でその両側のアーム部に吊金車等のフック部を係合させ、また離脱させることで、簡単に吊金車を着脱することができる。
【図面の簡単な説明】
【００１１】
【図１】本考案の実施形態による取付治具を係合させた電柱に仮ロープを懸架した状態の説明図である。
【図２】装柱腕金に取付治具と吊金車を取り付けた状態の要部斜視図である。
【図３】装柱腕金の先端側から見た図２と同様な要部斜視図である。
【図４】取付治具と吊金車の分解図である。
【図５】装柱腕金に取付治具を装着した状態の要部斜視図である。
【考案を実施するための形態】
【００１２】
以下、添付図面を参照して、本考案の実施形態による電柱の装柱腕金に取り付け可能な吊金車の取付治具について図１〜図５により説明する。
図１は実施形態による通信ケーブルの架設方法で用いられる電柱１間に仮ロープ２を架設する工程の図である。図１及び図２において、電柱１として各電柱１ａ、１ｂ、…に設けた装柱腕金３に吊金車５を吊り下げることができる。
図１において、例えば電柱１ａに設けた吊金車５を１号吊金車とし、電柱１ｂに設けた吊金車５を２号吊金車というものとする。本実施形態による取付治具４は電柱１ｂに設けた装柱腕金３に取り付け可能であり、２号吊金車に装着できるものである。
【００１３】
図２及び図３に示すように、装柱腕金３は電柱１に金属製のリング環３ａによって取り付け固定され、リング環３ａに設けた略円弧板状の基板部３ｃには例えば略四角形筒状の腕金部３ｂが水平方向に突出して構成されている。
腕金部３ｂの先端部に設けた取付治具４は、腕金部３ｂの上面と左右両側面とに嵌合する略コの字状の係合部４ａと、係合部４ａの両側部から水平方向に突出する例えば棒状のアーム部４ｂとで構成されている。取付治具４はスチール等の適宜の金属で形成されている。係合部４ａは例えば腕金部３ｂに当接し易いように三面の板状部材からなり、アーム部４ｂは吊金車５のフック部１７，１８が係止し易いように棒状に形成されているが、このような形状に限定されない。
【００１４】
取付治具４のアーム部４ｂに装着可能な吊金車５(２号吊金車)は図２乃至図４に示されている。吊金車５は左右略対称な形状を有していて下側に湾曲部をする第一フレーム１０と第二フレーム１１とが対向して配設されている。第一フレーム１０及び第二フレーム１１の上基部１０ａ、１１ａは互いに当接して締め込みボルト１２及びナット１３で連結されている。
図４において、第一フレーム１０及び第二フレーム１１の下部１０ｂ、１１ｂは互いに外側に膨らんで逆Ｕ字状に形成され、その下端部には糸巻き型で表面が凹曲面状をなすプーリー１５が装着されている。プーリー１５の中心軸１６は第一フレーム１０及び第二フレーム１１の下端部を貫通してナット等で螺合固定されている。プーリー１５は中心軸１６回りに自由に回転可能とされている。プーリー１５の中心軸１６は取付治具４のアーム部４ｂと直交する方向に配列されている。
【００１５】
第一フレーム１０及び第二フレーム１１の上基部１０ａ、１１ａ間にはその両側からフック部１７，１８の下部１７ａ，１８ａが嵌入されて挟持されている。フック部１７、１８はプーリー１５の中心軸１６に直交する方向に配列され、取付治具４のアーム部４ｂにそれぞれ係合可能とされている。フック部１７，１８は図２及び図３に示すように上端のフックに向けて外側に傾斜しており、取付治具４に係合させる際、フック部１７，１８の各フックが係合部４ａを挟んでその両側に配置されるように形成されている。
【００１６】
本実施形態による取付治具４は上述した構成を備えており、次に取付治具４を用いた電柱１への２号金車をなす吊金車５の取付方法について説明する。
図２に示す直立した電柱１の上部に装柱腕金３が取り付けられた状態で、腕金部３ｂは水平方向に延びている。この腕金部３ｂに取付治具４の係合部４ａの略コの字状凹部を嵌合させる。これによって、図５に示す構成となる。
【００１７】
次に、取付治具４の係合部４ａの両側に設置されたアーム部４ｂに、吊金車５の一対のフック部１７，１８の各フックを係合部４ａを挟んでそれぞれ引掛けて係止させる。吊金車５は相当の重量があるため、各アーム部４ｂを介して取付治具４を下方に垂下させる。そのため、取付治具４は吊金車５の重量によって両側のアーム部４ｂが中心に向けて斜め下方に引っ張られるため、取付治具４の係合部４ａの両側部が腕金部３ｂの両側面に押圧されて面接触される。そのため、取付治具４を腕金部３ｂにボルト等で固定しなくても外れることがない。
【００１８】
この状態で、吊金車５のプーリー１５に仮ロープ２やメッセンジャーワイヤ、或いは通信ケーブル等を挿通して他の電柱１の方向にスムーズに延線させることができる。また、吊金車５を取り外す場合でも、吊金車５のフック部１７，１８を持ち上げて取付治具４のアーム部４ｂから取り外せばよい。
しかも、腕金部３ｂに吊金車５のフック部１７，１８を番線やＩＶ線等で捩じって巻いて固定したり解いたりする手間が必要なく、取付治具４と吊金車５の着脱操作が簡単にできる。
なお、本実施形態において、装柱腕金３の腕金部３ｂに取付治具４を嵌合させ、各アーム部４ｂに吊金車５のフック部１７，１８を係止させた構成を吊金車取付構造というものとする。
【００１９】
上述のように本実施形態による取付治具４及び吊金車取付構造によれば、吊金車５のフック部１７，１８を取付治具４の両側のアーム部４ｂに係止させれば、吊金車５の重量によって取付治具４を強固に腕金部３ｂに支持することができる。
また、吊金車５を取付治具４から外す際も、フック部１７，１８を持ち上げてアーム部４ｂから取り外せばよいので着脱操作が容易である。更に、取付治具４に吊金車５を吊り下げることで、腕金部３ｂに嵌合状態にある取付治具４を吊金車５の重量でアーム部４ｂを介して腕金部３ｂの両側部に強く密着させて支持できる。
【００２０】
なお、本考案による取付治具４は、上述した実施形態に限定されるものではなく、本考案の要旨を逸脱しない範囲で様々な置換や変形等が可能である。以下に本考案の変形例について説明するが、上述した実施形態と同一または同様な部分や部材には同一の符号を用いて説明する。
【００２１】
上述した実施形態では、取付治具４の係合部４ａを腕金部３ｂに嵌合して支持させ、両側のアーム部４ｂに吊金車５のフック部１７，１８を引っ掛けて係止させ、吊金車５の重量で取付治具４と腕金部３ｂとの係合を確保した。しかしながら、本発明は上述した構成に限定されるものではなく、例えば取付治具４の断面略コの字状の係合部４ａを角筒状の腕金部３ｂに嵌合させる構成としたが、更にボルトとナットで係合部４ａと腕金部３ｂを連結固定してもよい。これによって、より強固に取付治具４を腕金部３ｂに連結できる。
【００２２】
また、上述の実施形態による取付治具４は断面略コの字形状で角筒状の腕金部３ｂに係合させたが、この構成に代えて係合部４ａを四角形枠状に形成し、この係合部４ａを腕金部３ｂの先端から挿入して嵌合させてもよい。
また、上述した実施形態では、腕金部３ｂを略四角形筒状とし、取付治具４の係合部を断面略コの字状に形成したが、腕金部３ｂは断面が他の多角形状でもよく、その場合に取付治具４の係合部４ａは腕金部３ｂの形状に応じて互いに面接触で当接するように形成することができる。
なお、本発明による取付治具４は電柱１に固定する装柱腕金３に取り付けるものに限定されることなく、各種の支持部材に設置可能である。
【符号の説明】
【００２３】
１，１ａ、１ｂ  電柱
３  装柱腕金
３ｂ  腕金部
４  取付治具
４ａ  係合部
４ｂ  アーム部
５  吊金車
１０  第一フレーム
１１  第二フレーム
１２  ボルト
１３  ナット
１５  プーリー  
１７，１８  フック部
【図１】
0003210756.tif 000003
【図２】
0003210756.tif 000004
【図３】
0003210756.tif 000005
【図４】
0003210756.tif 000006
【図５】
0003210756.tif 000007